(57)【要約】    【課題】瓶などの背の高い貯蔵物が前方に転倒するのを防止することができる貯蔵庫の載置棚を提供する。    【解決手段】冷蔵室３を上下に仕切るように載置棚５を設ける。載置棚５を二枚の棚板６ａ、６ｂと棚枠７とで構成する。棚枠７で棚板６ａ、６ｂをスライド自在に支持する。棚板６ａ、６ｂをスライドさせて棚枠７の内側に開口１２を形成する。開口１２が、棚下方からの貯蔵物１３の突出を許す。載置棚５で上下に仕切った冷蔵室３に、瓶などの背の高い貯蔵物１３を収容することができる。しかも、棚枠７の前枠７１が貯蔵物１３の転倒防止部材として機能する。【選択図】図１１
2010060167.tif 000002
【特許請求の範囲】
【請求項１】
貯蔵室を上下に仕切る載置棚であって、貯蔵物を載置するための棚板と、その左右両側および前側の少なくとも三方を囲むように配された棚枠とを備え、前記棚枠は、その内側に棚下方からの貯蔵物の突出を許す開口が形成され、該開口面積を調整するように前記棚枠に棚板が移動自在に支持され、前記棚枠のうち前枠が貯蔵物の転倒防止部材とされたことを特徴とする貯蔵庫の載置棚。
【請求項２】
複数の棚板が棚枠に対してスライド自在に設けられたことを特徴とする請求項１に記載の貯蔵庫の載置棚。
【請求項３】
前記棚枠が前後左右の四方を囲むように配置され、前記棚枠の開口を覆うように複数の棚板が左右に並設され、かつ左右方向へ移動して前記開口の開口面積を調整するように、棚枠の前後の枠にスライド自在に支持されたことを特徴とする請求項１又は２に記載の貯蔵庫の載置棚。
【請求項４】
棚枠の開口の閉状態で、複数の棚板の少なくとも一部が上下に重ねられ、その重なる部位が、前記棚枠間に差し渡された支持枠により上下外側から支持されたことを特徴とする請求項１、２又は３に記載の貯蔵庫の載置棚。
【請求項５】
前記貯蔵庫が冷蔵庫であり、前記棚枠に上下方向に貫通する冷気循環用の通気部が形成されたことを特徴とする請求項１に記載の貯蔵庫の載置棚。
【発明の詳細な説明】
【技術分野】
【０００１】
本発明は、冷蔵庫などの貯蔵庫において、貯蔵室を上下に仕切る載置棚に関するものである。
【背景技術】
【０００２】
一般に、冷蔵庫などの貯蔵庫には、貯蔵物を載置するための載置棚が、貯蔵室を上下に仕切るように設けられている。貯蔵室の内側壁には、載置棚を支持可能な複数のレールが上下方向に互いに間隔をあけて形成され、その複数のレールのうちから、載置棚を支持するレールを適宜選択することにより、貯蔵物の背の高さなどに応じて、載置棚を所望の高さに調節するようになっている。
【０００３】
また、載置棚を後棚と前後にスライド自在な前棚とで構成し、その前棚を後棚に重ねるよう後方にスライドさせて、前方に背の高いスペースを空けることにより、載置棚を取り外すことなく、貯蔵庫の底面又は下段側の載置棚に瓶などの背の高い貯蔵物を載置可能とすることがある（特許文献１参照）。
【特許文献１】特開平１０−３３９５６８号公報（段落番号００５０）
【発明の開示】
【発明が解決しようとする課題】
【０００４】
ところが、支持するレールを選択して載置棚を高さ調節する構造の場合、その高さ調節の度に、載置している貯蔵物を一旦取り出して載置棚をレールに付け外す必要があり、高さ調節が煩わしい。載置棚の高さ調節の手間を省略するために、貯蔵物を載せたまま載置棚を付け外ししようとすると、その貯蔵物を落下させるおそれがある。
【０００５】
また、特許文献１のような、前棚を後方にスライドさせる構造の場合、瓶などの背の高い不安定な貯蔵物を貯蔵室の前部に載置することになり、貯蔵室の扉を開けたときに貯蔵物が前方に倒れて外部に飛び出すおそれがある。しかも、貯蔵室の前部に載置した背の高い貯蔵物が、後棚に載置する別の貯蔵物を出し入れする際の邪魔になり、その別の貯蔵物を出し入れするときに、前部に載置した瓶などの貯蔵物を前方に倒しやすい。
【０００６】
本発明は、瓶などの背の高い貯蔵物が前方に転倒するのを防止することができる貯蔵庫の載置棚の提供を目的とする。
【課題を解決するための手段】
【０００７】
上記目的を達成するため、本発明は、貯蔵室を上下に仕切る載置棚であって、貯蔵物を載置するための棚板と、その左右両側および前側の少なくとも三方を囲むように配された棚枠とを備え、前記棚枠は、その内側に棚下方からの貯蔵物の突出を許す開口が形成され、該開口面積を調整するように前記棚枠に棚板が移動自在に支持され、前記棚枠のうち前枠が貯蔵物の転倒防止部材とされたことを特徴とする。
【０００８】
上記構成によれば、棚枠の内側に開口を形成するので、棚下方から貯蔵物を載置棚の上方へ突出させることができ、載置棚の高さを調節することなく、貯蔵室の底面又は下段側の載置棚に瓶などの背の高い貯蔵物を載置することができる。しかも、棚枠の前枠が貯蔵物の転倒防止部材として機能するので、瓶などの背の高い貯蔵物が前方に倒れるのを防止することができる。さらに、棚枠で棚板を移動自在に支持しているので、棚枠の開口面積を調整することができ、棚板と棚枠とで貯蔵物を挟み込み、貯蔵物の転倒を防止することもできる。
【０００９】
ここで、棚板の移動は、回動開閉方式や着脱方式を採用してもよいが、スライド方式を採用すれば、棚板本来の貯蔵物載置機能を確保しつつ開口面積を調整することができる。すなわち、本発明は、複数の棚板を棚枠に対してスライド自在に設けることができる。
【００１０】
また、本発明は、棚枠が前後左右の四方を囲むように配置され、棚枠の開口を覆うように複数の棚板が左右に並設され、かつ左右方向へ移動して前記開口の開口面積を調整するように、棚枠の前後の枠にスライド自在に支持された構成を採用することができる。
【００１１】
上記構成によると、背の高い貯蔵物を開口から突出させて収容しつつ、開口から左右方向にずれて位置する棚板に別の貯蔵物を載置することができるので、開口から突出する貯蔵物が別の貯蔵物を出し入れする際の邪魔になるのを防止することができる。
【００１２】
なお、複数の棚板を前後に並設することにより、そのうちの一部の棚板を移動させて開口を形成すると共に、その開口から前後方向にずれた位置に棚板を配置することもできる。
【００１３】
さらに、本発明では、棚枠の開口の閉状態で、複数の棚板の少なくとも一部を上下に重ね、その重なる部位を、棚枠間に差し渡された支持枠により上下外側から支持することができる。これにより、共通の支持枠で複数の棚板を支持することができ、棚板の強度を高めると共に、その撓みを効果的に抑えることができる。
【００１４】
また、貯蔵庫が冷蔵庫である場合、貯蔵室を上下に仕切るように載置棚を設ける分、室内の冷気循環を阻害するおそれがあるが、載置棚に、上下方向に互いに連通して冷気の循環通路の一部を構成する通気部を設ければ、冷気循環が阻害されず、貯蔵室内を均一に冷却することができる。通気部の具体的な構造としては、上下方向に貫通する冷気循環用の通気部を棚枠に形成する構造を例示することができる。
【発明の効果】
【００１５】
以上のとおり、本発明によると、貯蔵室を上下に仕切る載置棚に開口を形成しているので、貯蔵室に瓶などの背の高い貯蔵物を上方に突出するようにして収容することができる。そのため、背の高い貯蔵物を収容する際の載置棚の取り外しを不要にすることができ、しかも、貯蔵室の扉を開けたとき、開口を取り囲む棚枠の前枠によって、背の高い不安定な貯蔵物が前方に倒れて貯蔵室の外部に飛び出すのを防止することができる。
【発明を実施するための最良の形態】
【００１６】
以下、本発明を実施するための最良の形態について、図面を用いて説明する。図１は本発明に係る貯蔵庫の載置棚を冷蔵庫に適用した例を示す正面図、図２は図１のＡ−Ａ断面図である。図３は載置棚の平面図、図４は載置棚の側面図、図５は図３のＢ−Ｂ断面図、図６は載置棚の正面図、図７は図３のＣ−Ｃ断面図、図８は図５のＤ部拡大断面図である。図９は貯蔵物収容状態の載置棚の平面図、図１０は図９のＥ−Ｅ断面図、図１１は図９のＦ−Ｆ断面図である。
【００１７】
冷蔵庫１は、貯蔵室としての冷凍室２と冷蔵室３とを備え、上側の冷凍室２と下側の冷蔵室３とが断熱材を充填した仕切壁４によって仕切られると共に、冷凍室２及び冷蔵室３の前方の開口がそれぞれ冷凍室扉２ａ及び冷蔵室扉３ａによって開閉自在に覆われたものであり、その冷蔵室３を上下に仕切るように複数の載置棚５が設けられている。
【００１８】
載置棚５は、図１、図２に示すように、冷蔵室３の両内側面に形成された複数対のレール８のうちのいずれかに着脱自在に支持され、支持するレール８を適宜選択することにより、収容する貯蔵物の大きさに応じて、載置棚５の高さを調節するようになっている。なお、冷蔵室３の下部には、下部載置棚５ａが固定され、下部載置棚５ａよりも下側の空間に野菜が収納される。
【００１９】
本実施形態における載置棚５は、図３に示すように、貯蔵物を載置するための上下二枚の棚板６ａ、６ｂと、これらの棚板６ａ、６ｂを支持するよう周囲に配された棚枠７とから構成される。二枚の棚板６ａ、６ｂは、図９に示すように、棚枠７に対してスライド自在で、かつ棚枠７の開口を覆うように左右に並設されている。棚板６ａ，６ｂは、平板状に形成され、上面に貯蔵物を載置可能とされる。この棚板６ａ，６ｂは、例えば合成樹脂板から構成される。本実施形態では、棚枠７に通気部１５を設けているので、棚板６ａ、６ｂは、通気部を形成することなく中実状の板材から構成されている。
【００２０】
各棚板６ａ、６ｂの左右方向の外端部には、摘み９が挟着や接着などによって取り付けられ、この摘み９をつまんで各棚板６ａ、６ｂを他方の棚板６ａ、６ｂに重ねるようにスライドさせることにより、載置棚５の開口面積を調整するようになっている。下側の棚板６ｂの摘み９は、上方に突出され、上側の棚板６ａの移動を規制するストッパとしても機能する。
【００２１】
棚枠７は、棚板６ａ，６ｂの左右両側および前側の少なくとも三方を囲むように配置されるが、本実施形態では、棚板６ａ，６ｂの左右両側および前後両側の四方を囲むように配置されている。
【００２２】
すなわち、棚枠７は、前枠７１、後枠７２、および左右枠７３、７４により内側に開口を有する口字形に形成される。さらに、棚枠７の開口の閉状態では、二枚の棚板６ａ，６ｂの内端同士が上下に重ねられており、その重なる部位を上下外側から支持するように、棚枠７の前後の枠の中央部間に支持枠７５が差し渡されている。これにより、棚枠７は、平面視で「日」字形とされる。
【００２３】
棚枠７を構成する前後枠７１，７２、左右枠７３，７４および支持枠７５は、図８に示すように、平面視「日」字形の上枠部材７ａ、中枠部材７ｂ及び下枠部材７ｃを上下方向から組み立てて構成される。この棚枠７は、棚板６ａを挟みつつ上枠部材７ａに中枠部材７ｂを凹凸嵌合させ、さらに、棚板６ｂを挟みつつ中枠部材７ｂの上枠部材７ａとは反対側に下枠部材７ｃを凹凸嵌合させるようにして組み立てられ、ビス１１で固定することによって一体化される。なお、ビス１１を用いる代わりに、接着によって上枠部材７ａ、中枠部材７ｂ及び下枠部材７ｃを一体化してもよい。
【００２４】
棚枠７の内側の開口１２は、図９〜図１１に示すように、棚板６ａ、６ｂの内端同士の重なり代が多くなるようにスライドさせることによって形成される。この開口１２は、瓶などの背の高い貯蔵物１３の棚下方からの突出を許すことにより、載置棚５を取り外すことなく、冷蔵室３への貯蔵物１３の収容を可能とする。しかも、貯蔵物１３の左右方向に位置する棚板６ａ、６ｂの載置面には、別の貯蔵物を載置することにより、冷蔵室３のスペースが有効に利用される。
【００２５】
この貯蔵物収容状態では、棚枠７の前枠７１が開口１２から上方に突出する貯蔵物１３の転倒を防止する転倒防止部材として機能し、冷蔵室扉３ａを開いたとき、貯蔵物１３が前方に倒れて冷蔵室３の外部に飛び出すのを防止する。
【００２６】
また、棚枠７のうち、後枠７２には棚板６ａ，６ｂのスライド部の後側において通気部１５が貫通形成される。この通気部１５は、後枠７２の長さ方向に沿って細長く形成されており、載置棚５の上下の空間を互いに連通させて冷気の循環通路の一部を構成し、冷気循環を高めて室内を均一に冷却するようになっている。なお、通気部１５は、棚板６ａ、６ｂを閉じた状態で、棚枠７との間に隙間を空けて形成することもできる。
【００２７】
ここで、冷気を循環させるための構成について説明する。冷凍室２の背面には、冷凍室ダクト１６が設けられ、この冷凍室ダクト１６の内部に、冷気を生成する冷却器１７と、冷却器１７の上方に位置する送風ファン１８と、冷却器１７の下方に位置して除霜時に生じる除霜水を受けるドレン受けと、蒸発皿へ排水する為の排水口とが配置されている。
【００２８】
冷凍室ダクト１６には、冷凍室２の上部に臨んで開口する吐出口１９と、冷凍室２の底面付近に臨んで開口する戻り口２０とが形成されると共に、冷却器１７の側方に設けられた連通路２１を介して、送風ファン１８の排気側が吐出通路２２に連通されている。吐出通路２２は、冷蔵室３の背面側で左右方向における中央部に鉛直方向に延びるように設けられ、その両側部に形成された吐出口２３から冷蔵室３に冷気を吐出するようになっている。
【００２９】
冷凍室２と冷蔵室３とを仕切る仕切壁４の内部には、戻り通路２４が設けられ、冷蔵室３の前部に形成された戻り口２５と、冷凍室ダクト１６のうちの冷却器１７の下方部分とを接続している。
【００３０】
冷却器１７は、この冷却器（蒸発器）１７と、冷蔵室３の下部外側の機械室(図示せず)に配設された圧縮機（図示せず）と、凝縮器（図示せず）と、キャピラリーチューブ（図示せず）とからなる冷凍サイクルによって冷却される。冷却器１７の下方には、ガラス管ヒータ２６が設けられ、圧縮機の運転時間に応じて通電されて発熱することにより、冷却器１７に付着した霜を溶かして、その冷却能力を維持するようになっている。
【００３１】
次に、冷気が循環する様子を説明する。まず、矢印Ｄ１に示すように、送風ファン１８が駆動することにより、冷却器１７で生成された冷気が吐出口１９から冷凍室２に吐出され、冷凍室２の室内を流通して貯蔵物を冷却した後、冷凍室ダクト１６の戻り口２０を通って冷却器１７に戻される。
【００３２】
また、冷却器１７で生成された冷気は、冷凍室ダクト１６における送風ファン１８の排気側で分岐し、矢印Ｄ２に示すように、連通路２１を介して吐出通路２２に送られ、矢印Ｄ３に示すように、吐出口２３から冷蔵室３の室内に吐出される。冷蔵室３に吐出された冷気は冷蔵室３の室内を流通して貯蔵物を冷却した後、矢印Ｄ４に示すように、戻り口２５から戻り通路２４に流入し、矢印Ｄ５に示すように、冷凍室ダクト１６に配置された冷却器１７に戻される。
【００３３】
なお、本発明は、上記の実施の形態に限定されるものではなく、本発明の範囲内において、適宜変更を加えることができる。例えば、冷蔵庫としては、冷凍室２と冷蔵室３とを備えたものに限らず、冷蔵室３のみを備えたものであってもよく、さらに、冷蔵庫に限らず、その他の貯蔵庫であってもよい。また、載置棚５は、二枚の棚板を設けたものに限らず、一枚あるいは三枚以上の棚板を設けることもできる。
【図面の簡単な説明】
【００３４】
【図１】本発明に係る貯蔵庫として冷蔵庫を例に、その開放状態を示す正面図
【図２】図１のＡ−Ａ断面図
【図３】載置棚の平面図
【図４】載置棚の側面図
【図５】図３のＢ−Ｂ断面図
【図６】載置棚の正面図
【図７】図３のＣ−Ｃ断面図
【図８】図５のＤ部拡大断面図
【図９】貯蔵物収容状態の載置棚の平面図
【図１０】図９のＥ−Ｅ断面図
【図１１】図９のＦ−Ｆ断面図
【符号の説明】
【００３５】
１      冷蔵庫
２      冷凍室
３      冷蔵室
５      載置棚
６ａ、６ｂ  棚板
７      棚枠
７ａ    上枠部材
７ｂ    中枠部材
７ｃ    下枠部材
８      レール
９      摘み
１２    開口
１３    貯蔵物
１５    通気部
７１    前枠
７２    後枠
７３    右枠
７４    左枠
７５    支持枠
【図１】
2010060167.tif 000003
【図２】
2010060167.tif 000004
【図３】
2010060167.tif 000005
【図４】
2010060167.tif 000006
【図５】
2010060167.tif 000007
【図６】
2010060167.tif 000008
【図７】
2010060167.tif 000009
【図８】
2010060167.tif 000010
【図９】
2010060167.tif 000011
【図１０】
2010060167.tif 000012
【図１１】
2010060167.tif 000013